(57)【特許請求の範囲】
【請求項１】
鉄鋼製品を識別するための識別情報を管理する管理装置と、
前記管理装置に接続され、少なくとも前記識別情報の一部を含むラベル情報が記録された第１のバーコードが表示されたラベルを生成するラベル生成装置と、
前記管理装置に接続され、前記ラベル情報の少なくとも一部を含むステンシル情報が記録された第２のバーコードが形成されたステンシルシートを生成するステンシルシート生成装置と、
前記管理装置に接続され、前記第１及び第２のバーコードの情報を読み取る読み取り器とを備えた鉄鋼製品の識別管理システムを使用した鉄鋼製品の識別管理方法において、
前記読み取り器が、前記ラベル生成装置により生成され前記鉄鋼製品に貼付された前記ラベルのラベル情報を読み取る第１のラベル情報読取工程と、
前記読み取り器が、前記ステンシルシート生成装置により生成された前記ステンシルシートのステンシル情報を読み取るステンシル情報読取工程と、
前記読み取り器が、前記第１のラベル情報読取工程にて読み取った前記ラベル情報と前記ステンシル情報読取工程にて読み取った前記ステンシル情報とを照合する第１の照合工程と、
前記第１の照合工程にて、前記ラベルと前記ステンシルシートとが対応すると判断した後に、前記ステンシルシートを用いて、前記鉄鋼製品に前記第２のバーコードに対応する第３のバーコードを表示させるバーコード表示工程とを含むことを特徴とする鉄鋼製品の識別管理方法。
【請求項２】
請求項１記載の鉄鋼製品の識別管理方法において、
前記鉄鋼製品の識別管理システムが、前記管理装置に接続され、前記ラベル情報の少なくとも一部を含む出荷指示情報が記録された第４のバーコードが表示された出荷指示書を生成する出荷指示書生成装置を更に備え、
前記読み取り器が、前記出荷指示書生成装置により生成された前記出荷指示書の出荷指示情報を読み取る出荷指示情報読取工程と、
前記読み取り器が、前記鉄鋼製品に貼付された前記ラベルのラベル情報を読み取る第２のラベル情報読取工程と、
前記読み取り器が、前記第２のラベル情報読取工程にて読み取った前記ラベル情報と前記出荷指示情報読取工程にて読み取った前記出荷指示情報とを照合する第２の照合工程とを更に含むことを特徴とする鉄鋼製品の識別管理方法。
【請求項３】
請求項２記載の鉄鋼製品の識別管理方法において、
前記第２のラベル情報読取工程にて、前記ラベル情報が読み取れなかった際、前記読み取り器が、前記第３のバーコードに記録された情報を読み取るバーコード読取工程を行い、
前記第２の照合工程にて、前記ラベル情報の代わりに、前記読み取り器が前記バーコード読取工程にて読み取った前記情報と前記出荷指示情報読取工程にて読み取った前記出荷指示情報とを照合することを特徴とする鉄鋼製品の識別管理方法。
【請求項４】
請求項１〜３のいずれか１項に記載の鉄鋼製品の識別管理方法において、
前記ラベルは矩形状であり、
前記第１のバーコードが、前記ラベルの対角上に２箇所表示されていることを特徴とする鉄鋼製品の識別管理方法。
【請求項５】
請求項１〜４のいずれか１項に記載の鉄鋼製品の識別管理方法において、
前記鉄鋼製品が、スパイラル溶接鋼管であることを特徴とする鉄鋼製品の識別管理方法。
【請求項６】
請求項５記載の鉄鋼製品の識別管理方法において、
前記ラベルが、前記スパイラル溶接鋼管の内周面に貼付されることを特徴とする鉄鋼製品の識別管理方法。
【請求項７】
鉄鋼製品を製造する鉄鋼製品製造装置と、
前記鉄鋼製品製造装置によって製造された前記鉄鋼製品を識別するための識別情報を管理する管理装置と、
前記管理装置に接続され、少なくとも前記識別情報の一部を含むラベル情報が記録された第１のバーコードが表示されたラベルを生成するラベル生成装置と、
前記管理装置に接続され、前記ラベル情報の少なくとも一部を含むステンシル情報が記録された第２のバーコードが形成されたステンシルシートを生成するステンシルシート生成装置と、
前記管理装置に接続され、前記第１及び第２のバーコードの情報を読み取る読み取り器とを備えた識別情報付き鉄鋼製品の製造システムを使用した識別情報付き鉄鋼製品の製造方法において、
前記鉄鋼製品製造装置が、前記鉄鋼製品を製造する鉄鋼製品製造工程と、
前記読み取り器が、前記鉄鋼製品製造工程にて製造された前記鉄鋼製品に貼付された前記ラベルのラベル情報を読み取る第１のラベル情報読取工程と、
前記読み取り器が、前記ステンシルシート生成装置により生成された前記ステンシルシートのステンシル情報を読み取るステンシル情報読取工程と、
前記読み取り器が、前記第１のラベル情報読取工程にて読み取った前記ラベル情報と前記ステンシル情報読取工程にて読み取った前記ステンシル情報とを照合する第１の照合工程と、
前記第１の照合工程にて、前記ラベルと前記ステンシルシートとが対応すると判断した後に、前記ステンシルシートを用いて、前記鉄鋼製品に前記第２のバーコードに対応する第３のバーコードを表示させるバーコード表示工程とを含むことを特徴とする識別情報付き鉄鋼製品の製造方法。
【発明の詳細な説明】
【技術分野】
【０００１】
本発明は、鉄鋼製品の識別管理方法及び識別情報付き鉄鋼製品の製造方法に関する。
【背景技術】
【０００２】
特許文献１には、鋼材の束が解束される解束部と、鋼材が束に結束される結束部と、解束部と結束部の間に配置され解束した状態で処理する鋼材処理部とを有する加工装置における束振り替り異材を防止する方法が記載されている。なお、束振り替り異材とは、複数束を同時に解束して作業する場合において、工程ラベルを取り付ける際に誤って異なる工程ラベルを取り付けてしまうことによる異材のことをいう。
この束振り替り異材を防止する方法においては、ラベル（工程ラベル）を用いて鋼材の束の識別管理がなされている。
【先行技術文献】
【特許文献】
【０００３】
【特許文献１】特開２０１１−２０６８３１号公報
【発明の概要】
【発明が解決しようとする課題】
【０００４】
ここで、例えばラベルが脱落すると、ラベルに表示された情報が読み取れなくなるおそれがある。そこで、ラベルに加え、別の表示手段を設けることが考えられる。しかし、表示手段を設ける際に誤って不適切な表示手段を設けてしまうと、鋼材の束の識別管理が困難になる。
本発明は、鉄鋼製品を識別管理し、予め決められた鉄鋼製品以外の鉄鋼製品が出荷される可能性が低減された鉄鋼製品の識別管理方法及び識別情報付き鉄鋼製品の製造方法を提供することを目的とする。
【課題を解決するための手段】
【０００５】
前記目的に沿う第１の発明に係る鉄鋼製品の識別管理方法は、鉄鋼製品を識別するための識別情報を管理する管理装置と、
前記管理装置に接続され、少なくとも前記識別情報の一部を含むラベル情報が記録された第１のバーコードが表示されたラベルを生成するラベル生成装置と、
前記管理装置に接続され、前記ラベル情報の少なくとも一部を含むステンシル情報が記録された第２のバーコードが形成されたステンシルシートを生成するステンシルシート生成装置と、
前記管理装置に接続され、前記第１及び第２のバーコードの情報を読み取る読み取り器とを備えた鉄鋼製品の識別管理システムを使用した鉄鋼製品の識別管理方法において、
前記読み取り器が、前記ラベル生成装置により生成され前記鉄鋼製品に貼付された前記ラベルのラベル情報を読み取る第１のラベル情報読取工程と、
前記読み取り器が、前記ステンシルシート生成装置により生成された前記ステンシルシートのステンシル情報を読み取るステンシル情報読取工程と、
前記読み取り器が、前記第１のラベル情報読取工程にて読み取った前記ラベル情報と前記ステンシル情報読取工程にて読み取った前記ステンシル情報とを照合する第１の照合工程と、
前記第１の照合工程にて、前記ラベルと前記ステンシルシートとが対応すると判断した後に、前記ステンシルシートを用いて、前記鉄鋼製品に前記第２のバーコードに対応する第３のバーコードを表示させるバーコード表示工程とを含む。
【０００６】
第１の発明に係る鉄鋼製品の識別管理方法において、
前記鉄鋼製品の識別管理システムが、前記管理装置に接続され、前記ラベル情報の少なくとも一部を含む出荷指示情報が記録された第４のバーコードが表示された出荷指示書を生成する出荷指示書生成装置を更に備え、
前記読み取り器が、前記出荷指示書生成装置により生成された前記出荷指示書の出荷指示情報を読み取る出荷指示情報読取工程と、
前記読み取り器が、前記鉄鋼製品に貼付された前記ラベルのラベル情報を読み取る第２のラベル情報読取工程と、
前記読み取り器が、前記第２のラベル情報読取工程にて読み取った前記ラベル情報と前記出荷指示情報読取工程にて読み取った前記出荷指示情報とを照合する第２の照合工程とを更に含むことができる。
【０００７】
第１の発明に係る鉄鋼製品の識別管理方法において、
前記第２のラベル情報読取工程にて、前記ラベル情報が読み取れなかった際、前記読み取り器が、前記第３のバーコードに記録された情報を読み取るバーコード読取工程を行い、
前記第２の照合工程にて、前記ラベル情報の代わりに、前記読み取り器が前記バーコード読取工程にて読み取った前記情報と前記出荷指示情報読取工程にて読み取った前記出荷指示情報とを照合することができる。
【０００８】
第１の発明に係る鉄鋼製品の識別管理方法において、
前記ラベルは矩形状であり、
前記第１のバーコードが、前記ラベルの対角上に２箇所表示されていることが好ましい。
【００１１】
第１の発明に係る鉄鋼製品の識別管理方法において、
前記鉄鋼製品を、スパイラル溶接鋼管とすることができる。
【００１２】
第１の発明に係る鉄鋼製品の識別管理方法において、
前記ラベルが、前記スパイラル溶接鋼管の内周面に貼付されることが好ましい。
【００１３】
前記目的に沿う第２の発明に係る識別情報付き鉄鋼製品の製造方法は、鉄鋼製品を製造する鉄鋼製品製造装置と、
前記鉄鋼製品製造装置によって製造された前記鉄鋼製品を識別するための識別情報を管理する管理装置と、
前記管理装置に接続され、少なくとも前記識別情報の一部を含むラベル情報が記録された第１のバーコードが表示されたラベルを生成するラベル生成装置と、
前記管理装置に接続され、前記ラベル情報の少なくとも一部を含むステンシル情報が記録された第２のバーコードが形成されたステンシルシートを生成するステンシルシート生成装置と、
前記管理装置に接続され、前記第１及び第２のバーコードの情報を読み取る読み取り器とを備えた識別情報付き鉄鋼製品の製造システムを使用した識別情報付き鉄鋼製品の製造方法において、
前記鉄鋼製品製造装置が、前記鉄鋼製品を製造する鉄鋼製品製造工程と、
前記読み取り器が、前記鉄鋼製品製造工程にて製造された前記鉄鋼製品に貼付された前記ラベルのラベル情報を読み取る第１のラベル情報読取工程と、
前記読み取り器が、前記ステンシルシート生成装置により生成された前記ステンシルシートのステンシル情報を読み取るステンシル情報読取工程と、
前記読み取り器が、前記第１のラベル情報読取工程にて読み取った前記ラベル情報と前記ステンシル情報読取工程にて読み取った前記ステンシル情報とを照合する第１の照合工程と、
前記第１の照合工程にて、前記ラベルと前記ステンシルシートとが対応すると判断した後に、前記ステンシルシートを用いて、前記鉄鋼製品に前記第２のバーコードに対応する第３のバーコードを表示させるバーコード表示工程とを含む。
【発明の効果】
【００１５】
請求項１〜６記載の鉄鋼製品の識別管理方法においては、ラベルとステンシルシートとが対応すると判断した後に、その対応するステンシルシートを用いて、鉄鋼製品に識別情報を含むバーコードを表示する。したがって、そのバーコードにより、鉄鋼製品を識別管理することもできる。
【００１６】
特に、請求項２記載の鉄鋼製品の識別管理方法においては、第２のラベル情報読取工程にて読み取ったラベル情報と出荷指示情報読取工程にて読み取った出荷指示情報とを照合するので、予め決められた鉄鋼製品以外の鉄鋼製品が出荷される可能性が低減される。
【００１７】
請求項３記載の鉄鋼製品の識別管理方法においては、読み取り器が、第３のバーコードに記録された情報を読み取り、出荷指示情報読取工程にて読み取った出荷指示情報と照合するので、必ずしもラベルによらずとも鉄鋼製品を識別管理できる。
【００１８】
請求項４記載の鉄鋼製品の識別管理方法においては、第１のバーコードが、ラベルの対角上に２箇所表示されているので、一方のバーコードが読み取れなくなった場合であっても、他方のバーコードを読み取ることができる。
【００２１】
請求項５記載の鉄鋼製品の識別管理方法においては、ラベルが、スパイラル溶接鋼管に貼付されるので、スパイラル溶接鋼管製品の識別が容易になる。
【００２２】
請求項６記載の鉄鋼製品の識別管理方法においては、ラベルが、スパイラル溶接鋼管の内周面に貼付されるので、外周面に貼付される場合と比較して、ラベルの文字又はバーコードが読み取れなくなる可能性が低減される。
【００２３】
請求項７記載の識別情報付き鉄鋼製品の製造方法においては、ラベルとステンシルシートとが対応すると判断された場合に、その対応するステンシルシートを用いて、鉄鋼製品に識別情報を含むバーコードが表示される。したがって、適切な識別情報が付された鉄鋼製品を製造できる。
【図面の簡単な説明】
【００２５】
【図１】本発明の一実施の形態に係る鉄鋼製品の識別管理方法に使用されるスパイラル溶接鋼管の識別管理システムの構成図である。
【図２】（Ａ）〜（Ｄ）はそれぞれ識別情報、ラベル情報、ステンシル情報、及び出荷指示情報の説明図である。
【図３】スパイラル溶接鋼管に貼付されるラベルの一例を示す説明図である。
【図４】ステンシルシートの一例を示す説明図である。
【図５】スパイラル溶接鋼管の出荷指示書の一例を示す説明図である。
【図６】識別情報付きスパイラル溶接鋼管の製造工程を示す説明図である。
【図７】識別情報付与工程を示すフローチャートである。
【図８】出荷確認工程を示すフローチャートである。
【発明を実施するための形態】
【００２６】
続いて、添付した図面を参照しつつ、本発明を具体化した実施の形態につき説明し、本発明の理解に供する。なお、各図において、説明に関連しない部分は図示を省略する場合がある。
【００２７】
本発明の一実施の形態に係る鉄鋼製品の識別管理方法に使用されるスパイラル溶接鋼管ＳＰ（図６参照）の識別管理システム１０は、図１に示すように、管理装置１２と、ラベル生成装置１４と、ステンシルシート生成装置１６と、バーコードリーダ（読み取り器の一例）ＨＴと、出荷指示書生成装置１８と、プロセス制御装置２２とを備えている。
これら管理装置１２、ラベル生成装置１４、ステンシルシート生成装置１６、バーコードリーダＨＴ、出荷指示書生成装置１８、及びプロセス制御装置２２は、ネットワークに接続されている。
なお、スパイラル溶接鋼管ＳＰは、鉄鋼製品の一例である。スパイラル溶接鋼管ＳＰは、図６に示すスパイラル溶接鋼管製造装置（鉄鋼製品製造装置の一例）２１によって製造される。スパイラル溶接鋼管ＳＰは、他の鉄鋼製品と同様に、内径、外径、長さ、肉厚等の識別が重要である。また、スパイラル溶接鋼管ＳＰは、種々のアクセサリー（例えば、継手や吊り金具）が取り付けられる場合がある。一般に、それぞれのアクセサリーには、多様な寸法が指定されることから、識別すべき種類が極めて多い。
【００２８】
管理装置１２は、スパイラル溶接鋼管ＳＰを識別するための識別情報を管理することができるコンピューターである。
識別情報は、図２（Ａ）に示すように、スパイラル溶接鋼管ＳＰに関する複数の情報（識別情報Ｐ、Ｑ、Ｒ・・・）を含んでいる。
識別情報Ｐは、例えば、製造される各スパイラル溶接鋼管ＳＰによって異なる現品番号（図３に示すラベルに表示されたパイプ番号）であり、複数桁の数字である。識別情報Ｑは、例えば、製造指示に関する情報である。識別情報Ｒは、例えば、製造番号である。識別情報Ｐ、Ｑ、Ｒ・・・のうちの一つを、出荷指示に関する情報とすることも可能である。
識別情報は、必ずしも複数の情報を含んでいなくてもよい。これら識別情報Ｐ、Ｑ、Ｒ・・・に基づいて、生成される各スパイラル溶接鋼管ＳＰが識別される。
【００２９】
なお、管理装置１２は記憶装置（不図示）を有し、記憶装置にはデータベースが格納されている。前述の識別情報Ｐ、Ｑ、Ｒ・・・は、このデータベースに記録されており、例えば現品番号に基づいて、製造指示に関する情報や出荷指示に関する情報等を特定することができる。
【００３０】
ラベル生成装置１４は、管理装置１２からネットワークを介して識別情報を受信し、スパイラル溶接鋼管ＳＰに貼付されるラベル（図３参照）を生成することができる。ラベル生成装置１４は、例えば、ラベルを印字するラベルプリンタである。ラベルは、例えば長方形状（矩形状）である。ラベルには、少なくとも識別情報が文字として表示される。また、ラベルには、２次元バーコード（第１のバーコードの一例）が表示されている。２次元バーコードは、ラベルの対角上にそれぞれ表示されている。各２次元バーコードは同一である。この２次元バーコードには、管理装置１２が管理する識別情報の一部である識別情報Ｐ及び識別情報Ｑがラベル情報（図２（Ｂ）参照）として記録されている。
ラベル生成装置１４は、ラベルを貼付するための作業場所に配置されている。ラベルは、製造ロットの分、事前に準備されている。
【００３１】
ステンシルシート生成装置１６は、管理装置１２からネットワークを介して識別情報を受信し、図４に示すステンシルシートを生成することができる。ステンシルシート生成装置１６は、例えば、ステンシルプロッタである。
ステンシルシートには、予め決められた情報（例えば、規格によって規定された情報）を示す文字と、１次元バーコード（第２のバーコードの一例）とが形成されている。ステンシルシートには、下部の左右２箇所に１次元バーコードが形成されている。これら１次元バーコードは、いずれも同一のバーコードである。この１次元バーコードには、管理装置１２が管理する識別情報の一部である識別情報Ｐ及び識別情報Ｑがステンシル情報（図２（Ｃ）参照）として記録されている。
なお、１次元バーコードは、前述のように２箇所ではなく、１箇所にのみ設けられていてもよい。
【００３２】
ステンシルシートの材質は、非金属であり、例えば、フィルム等の樹脂や紙である。
ステンシルシートをスパイラル溶接鋼管ＳＰの内周面に載せ、上から塗料を吹き付けることによって、予め決められた情報を示す文字及びステンシルシートに形成された１次元バーコードに対応する１次元バーコード（第３のバーコードの一例）がスパイラル溶接鋼管ＳＰの内周面に転写（ステンシル表示）される。
ステンシルシート生成装置１６は、ステンシル表示するための作業場所に配置されている。ステンシルシートは製造ロットの分、事前に準備されている。
【００３３】
バーコードリーダＨＴは、１次元バーコード及び２次元バーコードに記録された情報を読み取ることができる。
バーコードリーダＨＴに、情報を作業者に表示するための表示部３２と、ネットワークにワイヤレス接続するための無線通信部（不図示）とが設けられている。バーコードリーダＨＴは、管理装置１２に接続されている。バーコードリーダＨＴは、作業性を考慮して、ハンディタイプが好ましい。
【００３４】
バーコードリーダＨＴは、現品識別機能及び照合機能を有している。
現品識別機能は、１）ラベルに表示された２次元バーコード、２）ステンシルシートに形成された１次元バーコード、３）及びステンシルシートによってスパイラル溶接鋼管ＳＰにステンシル表示された１次元バーコードを読み取って、各バーコードに記録された情報を表示部３２に表示する機能である。
照合機能は、異なる場所にそれぞれ表示されたバーコードを読み取り、読み取ったバーコードに記録された情報を照合し、これらバーコードが対応するか否かを判断する機能である。
【００３５】
出荷指示書生成装置１８は、管理装置１２からネットワークを介して識別情報を受信し、図５に示す出荷指示書を生成することができる。
出荷指示書には、図５に示すように、右上に、管理装置１２が管理する識別情報の一部である識別情報Ｑ及び識別情報Ｒが出荷指示情報（図２（Ｄ）参照）として記録された２次元バーコード（第４のバーコードの一例）が表示されている。
【００３６】
プロセス制御装置２２は、スパイラル溶接鋼管製造装置２１の製造プロセスを制御できる。
【００３７】
次に、スパイラル溶接鋼管ＳＰを製造し、管理する方法（本発明の一実施の形態に係る識別情報付きスパイラル溶接鋼管ＳＰの製造方法及び本発明の一実施の形態に係るスパイラル溶接鋼管ＳＰの識別管理方法）について説明する。
【００３８】
（工程Ａ１）
図６に示すように、鉄鋼製品製造工程として、スパイラル溶接鋼管製造装置２１が、コイルから鋼帯を引き出し、鋼帯を螺旋状に成形しながら鋼帯の両端部を溶接し、スパイラル溶接鋼管ＳＰを製造する。製造されるスパイラル溶接鋼管ＳＰは、プロセス制御装置２２によって、管理されている。
以降、スパイラル溶接鋼管ＳＰの識別管理方法として、次の工程が実行される。
【００３９】
（工程Ｂ１）
作業者が、製造されたスパイラル溶接鋼管ＳＰの内周面に対応するラベルを貼付する。なお、ラベルがスパイラル溶接鋼管ＳＰの内周面に貼付されることにより、例えばラベルが風雨等により汚損され、ラベルの文字又はバーコードが読み取れなくなる可能性が低減される。
製造されたスパイラル溶接鋼管ＳＰに対応するラベルは、プロセス制御装置２２によって管理されている。
図示しない貼付装置がラベルを貼付することもできる。
【００４０】
（工程Ｃ１）
スパイラル溶接鋼管ＳＰの端面を切削する。
【００４１】
（工程Ｄ１）
作業者が、スパイラル溶接鋼管ＳＰについて、予め決められた検査を実施する。
検査が実施された後、工程Ｅ１１〜Ｅ１３のいずれかの工程が実施される。
【００４２】
（工程Ｅ１１）
スパイラル溶接鋼管ＳＰに予め決められた加工が実施される。予め決められた加工とは、例えば、倍尺切断、中継、及び２次加工である。
【００４３】
倍尺切断は、１本のスパイラル溶接鋼管ＳＰを２本以上に分割するための切断加工である。倍尺切断後の分割されたスパイラル溶接鋼管ＳＰには、予め決められた検査に合格後、それぞれ対応するラベルが新たに貼付される。なお、図６においては、倍尺切断が示されている。
【００４４】
中継は、２本以上のスパイラル溶接鋼管ＳＰを繋ぎ合わせる溶接加工である。中継後のスパイラル溶接鋼管ＳＰには、予め決められた検査に合格後、対応するラベルが新たに貼付される。
【００４５】
２次加工は、例えば、鋼管矢板加工（継手の溶接加工）、及び吊金具溶接加工である。
ここで、ラベルには、２次元バーコードが２箇所表示されているので、一方の２次元バーコードが溶接熱によって焼損し、読み取れなくなった場合であっても、他方の２次元バーコードを読み取ることができる。また、２次元バーコードは、ラベルの対角上に表示されているので、全て焼損してしまう可能性が低減される。
【００４６】
予め決められた加工が行われた後、図７に示すように、スパイラル溶接鋼管ＳＰに識別情報を付与する識別情報付与工程が実施される。識別情報付与工程は、以下の手順で実行される。
【００４７】
（第１のラベル情報読取工程Ｓ１１ａ）
作業者がバーコードリーダＨＴを用いて、貼付されたラベルのラベル情報（２次元バーコード）を読み取る。
【００４８】
（ステンシル情報読取工程Ｓ１１ｂ）
作業者が、バーコードリーダＨＴを用いて、ステンシルシートのステンシル情報（１次元バーコード）を読み取る。なお、第１のラベル情報読取工程とステンシル情報読取工程の実行順序は任意でよい。
【００４９】
（第１の照合工程Ｓ１２）
読み取ったラベル情報とステンシル情報とを照合する。詳細には、ラベル情報が含む識別情報Ｐ及び識別情報Ｑと、ステンシル情報が含む識別情報Ｐ及び識別情報Ｑとを照合する。
【００５０】
（バーコード表示工程Ｓ１３）
照合の結果、バーコードリーダＨＴが、ラベルとステンシルシートとが対応するものであると判断した場合には、その後、作業者はそのステンシルシートを用いて、各スパイラル溶接鋼管ＳＰの内周面に文字及び１次元バーコードが第３のバーコードとしてステンシル表示する（ステンシルを転写する）。
【００５１】
（工程Ｅ１２）
本工程Ｅ１２は、特に加工が必要ない場合に実施される。前述の第１のラベル情報読取工程Ｓ１１ａ、ステンシル情報読取工程Ｓ１１ｂ、第１の照合工程Ｓ１２、及びバーコード表示工程Ｓ１３が実行される。
【００５２】
（工程Ｅ１３）
予め決められた塗覆装がなされる。塗覆装がなされた後、前述の第１のラベル情報読取工程Ｓ１１ａ、ステンシル情報読取工程Ｓ１１ｂ、第１の照合工程Ｓ１２、及びバーコード表示工程Ｓ１３が実行される。
【００５３】
以上の工程を経て、識別情報が付されたスパイラル溶接鋼管ＳＰが製造される。
このように、本実施の形態においては、スパイラル溶接鋼管ＳＰに貼付されたラベルに表示された２次元バーコードをバーコードリーダＨＴを用いて読み取るので、作業者による読み間違いが抑制される。
また、スパイラル溶接鋼管ＳＰにラベルによる識別情報とステンシル表示による識別情報が付されているので、例えばラベルを剥がした場合や、ラベルの汚損、焼損又は脱落によって識別情報が読み取れなくなった場合でも、ステンシル表示により識別情報を認識し、スパイラル溶接鋼管ＳＰを識別管理できる。
また、工程Ｅ１１〜Ｅ１３においては、ラベルの識別情報とステンシルシートの識別情報との対応がバーコードリーダＨＴによって確認されるので、誤ったステンシルシートが選択される可能性が低減される。
【００５４】
識別情報が付されたスパイラル溶接鋼管ＳＰが製造された後、図８に示すように、識別情報が付されたスパイラル溶接鋼管ＳＰの出荷確認工程が実施される。
【００５５】
（出荷指示情報読取工程Ｓ２１ａ）
作業者が、バーコードリーダＨＴを用いて、出荷指示書の出荷指示情報（２次元バーコード）を読み取る。
【００５６】
（第２のラベル情報読取工程Ｓ２１ｂ）
作業者がバーコードリーダＨＴを用いて、貼付されたラベルのラベル情報（２次元バーコード）を読み取る。
なお、第２のラベル情報読取工程と出荷指示情報読取工程の実行順序は任意でよい。
【００５７】
（判断工程Ｓ２２）
第２のラベル情報読取工程Ｓ２１ｂにおいて、バーコードリーダＨＴが、ラベル情報（ラベルの２次元バーコード）を読み取れた場合には、第２の照合工程Ｓ２３に進む。
第２のラベル情報読取工程Ｓ２１ｂにおいて、例えば、ラベルの脱落やラベルの汚損等の理由によって、バーコードリーダＨＴが、ラベル情報（ラベルの２次元バーコード）を読み取れなかった場合には、バーコード読取工程Ｓ２１ｃに進む。
【００５８】
（バーコード読取工程Ｓ２１ｃ）
作業者が、バーコードリーダＨＴを用いて、ステンシル表示による１次元バーコードを読み取る。
【００５９】
（第２の照合工程Ｓ２３）
バーコードリーダＨＴが、ラベルから読み取ったラベル情報又は１次元バーコードから読み取った情報と出荷指示情報とを照合する。詳細には、ラベル情報又は１次元バーコードの情報が含む識別情報Ｑと、出荷指示情報が含む識別情報Ｑとを照合する。なお、識別情報Ｑに加え、識別情報Ｐについて照合してもよい。また、識別情報Ｐについてのみ照合してもよい。
【００６０】
照合の結果、バーコードリーダＨＴが、ラベルと出荷指示書とが対応するものであると判断した場合には、ラベルが貼付されたスパイラル溶接鋼管ＳＰが、出荷指示通りの製品であることを確認することができる。
【００６１】
このように、出荷確認工程においては、読み取り器が、第２のラベル情報読取工程にてラベル情報を読み取ることができないと判断された後に、読み取り器が、ステンシル表示による１次元バーコード（第３のバーコード）に記録された情報を読み取り、出荷指示情報読取工程にて読み取った出荷指示情報と照合するので、必ずしもラベルによらずとも鉄鋼製品を識別管理できる。
【００６２】
本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
【００６３】
前述の実施の形態における鉄鋼製品は、スパイラル溶接鋼管に限定されるものではなく、ステンシル表示されるあらゆる鉄鋼製品が含まれる。鉄鋼製品の例として、パイプ、厚板、コイル、当金及び試験片が挙げられる。
【００６４】
ステンシル情報及び出荷指示情報は、前述の実施の形態における情報に限定されるものではない。ステンシル情報及び出荷指示情報はラベル情報の少なくとも一部を含み、ラベル情報と照合できればよい。すなわち、ステンシル情報は、ステンシルがラベルと対応しているか確認できれば任意でよい。出荷指示情報は、出荷指示書がラベル又はステンシル表示と対応しているか確認できれば任意でよい。
【００６５】
ラベルが貼付される場所は、スパイラル溶接鋼管の内周面に限定されるものではない。
【符号の説明】
【００６６】
１０：識別管理システム、１２：管理装置、１４：ラベル生成装置、１６：ステンシルシート生成装置、１８：出荷指示書生成装置、２１：スパイラル溶接鋼管製造装置、２２：プロセス制御装置、３２：表示部、ＨＴ：バーコードリーダ、ＳＰ：スパイラル溶接鋼管
【図１】
0005891093.tif 000002
【図２】
0005891093.tif 000003
【図３】
0005891093.tif 000004
【図４】
0005891093.tif 000005
【図５】
0005891093.tif 000006
【図６】
0005891093.tif 000007
【図７】
0005891093.tif 000008
【図８】
0005891093.tif 000009